(57)【特許請求の範囲】
【請求項１】
画面に表示するデータを作成する装置であって、
入力した画像データを用いて表示するための表示画像データを作成する表示画像データ作成部と、
前記表示画像データの作成を操作するために予め準備された自動操作データ群を入力する自動操作データ入力部と、
前記自動操作データ入力部により入力した前記自動操作データ群を用いて、前記表示画像データ作成部の作成処理を制御する表示画像データ作成操作処理部とを備え、
前記表示画像データ作成処理部は、
前記入力画像データから、前記自動操作データ群中の領域指定データに基づき指定された領域のデータを切り取り、前記自動操作データ群中のサイズデータに基づき拡大または縮小処理を行い局所画像データを作成する局所画像データ作成処理部と、
前記入力画像データを前記サイズデータに基づき拡大または縮小処理を行い全体画像データを作成する全体画像データ作成処理部と、
作成された前記全体画像データと前記局所画像データを画像濃度の変化を伴って合成して前記表示画像データを作成する表示画像作成処理部とを有し、
前記表示画像作成処理部は、前記全体画像データと前記局所画像データを、前記局所画像データを基に決定される合成比率に従って合成する、表示データ作成装置。
【請求項２】
前記合成比率は、前記局所画像データが示す画像のエッジの量を基に決定されることを特徴とする、請求項１に記載の表示データ作成装置。
【請求項３】
前記合成比率は、前記局所画像データが示す画像中の文字の量を基に決定されることを特徴とする、請求項１に記載の表示データ作成装置。
【請求項４】
前記合成比率は、前記局所画像データが示す画像と背景との輝度の差分を基に決定されることを特徴とする、請求項１に記載の表示データ作成装置。
【請求項５】
画面に表示するデータを作成する方法であって、
入力した画像データを用いて表示するための表示画像データを作成する表示画像データ作成ステップと、
前記表示画像データの作成を操作するために予め準備された自動操作データ群を入力する自動操作データ入力ステップと、
前記自動操作データ入力ステップにより入力した前記自動操作データ群を用いて、前記表示画像データ作成ステップにおける作成処理を制御する表示画像データ作成操作処理ステップとを備え、
前記表示画像データ作成処理ステップは、
前記入力画像データから、前記自動操作データ群中の領域指定データに基づき指定された領域のデータを切り取り、前記自動操作データ群中のサイズデータに基づき拡大または縮小処理を行い局所画像データを作成する局所画像データ作成処理ステップと、
前記入力画像データを前記サイズデータに基づき拡大または縮小処理を行い全体画像データを作成する全体画像データ作成処理ステップと、
作成された前記全体画像データと前記局所画像データを画像濃度の変化を伴って合成して前記表示画像データを作成する表示画像作成処理ステップとを有し、
前記表示画像作成処理ステップは、前記全体画像データと前記局所画像データを、前記局所画像データを基に決定される合成比率に従って合成する、表示データ作成方法。
【請求項６】
請求項５に記載の表示データ作成方法をコンピュータに実行させるための表示データ作成プログラム。
【請求項７】
請求項５に記載の表示データ作成方法をコンピュータに実行させるための表示データ作成プログラムを記録したコンピュータ読取り可能な記録媒体。
【発明の詳細な説明】
【技術分野】
【０００１】
本発明は、表示データ作成装置、表示データ作成方法、表示データ作成プログラム、および表示データ作成プログラムを記録したコンピュータ読取り可能な記録媒体に関し、特に、小さな表示領域または低解像度のディスプレイ環境で、ドキュメントや画像のレイアウトを把握しながら閲覧可能な表示データを提供する表示データ作成装置、表示データ作成方法、表示データ作成プログラム、および表示データ作成プログラムを記録したコンピュータ読取り可能な記録媒体に関する。
【背景技術】
【０００２】
携帯電話やＰＤＡ（personal digital assistants)などの携帯端末の普及と性能向上に伴い、近年、これらの携帯端末で複雑な情報を扱うことが可能になってきた。従来技術では、これらの携帯端末をはじめとした小さな表示領域または低解像度のディスプレイ環境で、解像度の高いまたは複雑なレイアウトのドキュメントを閲覧する場合、文字を読みやすい大きさに拡大または縮小し、画面に表示できる領域をユーザに提示する手法が主に用いられていた。
【０００３】
この手法では、製作者、閲覧者の双方に対し、次のような問題点があった。ドキュメントの製作者が重要視している箇所を、閲覧者の操作によっては見落される可能性が高く、それにより、製作者が意図した内容が閲覧者に正確に伝わらなかった。また、ドキュメントのレイアウトが複雑になれば、閲覧者は、順序を考えながら操作し、読み進めなければならず、ドキュメント内容に集中した閲覧の妨げとなっていた。
【０００４】
これらの問題点を解決するために、従来、閲覧者が行っていた表示に関する操作を自動制御データとしてビューワシステムに持たせ、自動操作データに基づいて表示を行う装置が提案された（たとえば特許文献１を参照）。
【０００５】
特許文献１の装置では、電子書籍を柔軟にスクロール表示するために、電子書籍の製作者は、あらかじめ望ましいスクロール手順を電子書籍データに書込んでおくと、閲覧者が該電子書籍の閲覧時に単一の操作を繰り返すだけで、製作者が想定した手順でスクロール表示が行われる。
【特許文献１】特開平１１−２７２３９９号公報
【発明の開示】
【発明が解決しようとする課題】
【０００６】
特許文献１の方法では、製作者の想定した順序にスクロール表示されるものの、表示の範囲内に複数行が入っているため、閲覧者は製作者の想定した行を読んでくれるとは限らない。これにより、閲覧者が見たい行が改行後等の表示位置の切替わりで表示されないケースが出てくるという欠点があった。例えば、５行が表示の範囲内に入っており、製作者は真中の行である３行目を閲覧者が読むことを想定していた場合、改行後の表示は４行目が表示されている状態であればよいことになる。しかし、閲覧者は１行目を読む可能性もあり、この場合、改行後２行目の表示が必要となるが、２行目が表示される保証はない。
【０００７】
また、閲覧者はドキュメント全体で、どの箇所を見ているのかわからなくなり、レイアウトを無視した閲覧になってしまうという欠点もあった。
【０００８】
また、例えば、行末の右端の表示から、行頭の左端の表示に切替わる時、自分の読んでいた行の次の行を、表示されている複数行の中から正しく認識できるとは限らない。言換えると、閲覧者が、文の前後関係から読む行を考えて選ばなければならない。
【０００９】
また、閲覧者は、ページの全体像を把握することが、困難で、現在ページ内のどの辺りを読んでいるのか分かりにくい。
【００１０】
それゆえに、この発明の目的は、製作者が意図する表示データ、または、閲覧者がレイアウトを把握しやすく、閲覧しやすい表示データを簡単な操作で作成することのできる表示データ作成装置、表示データ作成方法、表示データ作成プログラム、および表示データ作成プログラムを記録したコンピュータ読取り可能な記録媒体を提供することである。
【課題を解決するための手段】
【００１１】
この発明のある局面に従うと、画面に表示するデータを作成する装置は、入力した画像データを用いて表示するための表示画像データを作成する表示画像データ作成部と、表示画像データの作成を操作するために予め準備された自動操作データ群を入力する自動操作データ入力部と、自動操作データ入力部により入力した自動操作データ群を用いて、表示画像データ作成部の作成処理を制御する表示画像データ作成操作処理部とを備える。
【００１２】
したがって、ユーザ（閲覧者）に提示する表示画像データの製作者は、予め所望の自動操作データ群を準備しておけば、表示画像データ作成操作処理部は自動操作データ入力部により入力した自動操作データ群を用いて、表示画像データ作成部の表示画像データの作成処理を制御する。
【００１３】
それゆえに、製作者の意図した表示画像データを簡単に作成してユーザに提示することが可能となる。
【００１４】
好ましくは、自動操作データ群には、表示画像データ作成部に対して表示画像データの画像の所定範囲に線分を引くことを指示するデータが含まれる。
【００１５】
したがって、作成された画像データによる画像が表示された時には、製作者が意図する箇所に線分を引くなどして注目させることができる。ユーザはその線分などで指し示された箇所を読み進めていけばよい。
【００１６】
それゆえに、閲覧者は、引かれた線分にそって画像のドキュメントなどを読み進めることができる。これにより、行の切り替わりなど、視点を大きく移動させるまたは、表示が不連続に切り替わる場合であっても、閲覧者は自分の読む箇所を見失うことがない。
【００１７】
好ましくは、自動操作データ群には、表示画像データ作成部に対して表示画像データのために入力画像データの画像の所定領域の画像データを抜き出すことを指示するデータが含まれる。
【００１８】
したがって、このような自動操作データ群を準備しておくことにより、入力画像データの画像の所定領域を画像データを表示画像データのために用いるように指示することができる。
【００１９】
好ましくは、自動操作データ群には、抜き出される所定領域の画像データの画像を所定倍率で拡大または縮小することを指示するデータが含まれる。
【００２０】
したがって、このような自動操作データ群を準備しておくことにより、入力画像データの画像から抜き出した画像を表示するときの倍率を指示することができる。
【００２１】
好ましくは、表示画像データ作成処理部は、入力画像データから、自動操作データ群中の領域指定データに基づき指定された領域のデータを切り取り、自動操作データ群中のサイズデータに基づき拡大または縮小処理を行い局所画像データを作成する局所画像データ作成処理部と、入力画像データをサイズデータに基づき拡大または縮小処理を行い全体画像データを作成する全体画像データ作成処理部とを有して、作成された全体画像データと局所画像データを合成して表示画像データを作成する。
【００２２】
したがって、このような自動操作データ群を準備しておくことにより、表示画像データを作成するために入力画像データから切り取られて合成される局所画像データと全体画像データとについて、入力画像データから切り取る領域およびサイズを自動的に一括して指定できる。
【００２３】
好ましくは、作成された表示画像データ内に、自動操作データ群中の範囲指定データに基づき指定された範囲に線分を追加する。
【００２４】
したがって、このような自動操作データ群を準備しておくことにより、作成された表示画像データにおいて所望する範囲に線分を追加することができる。
【００２５】
好ましくは、全体画像データでの局所画像データに対応する位置を示す画像データを、作成された表示画像データ内に追加する。
【００２６】
この追加される画像データはその位置を枠して示すためのものである。
【００２７】
したがって、作成された表示画像データにおいて全体画像データでの局所画像データに対応する位置を示すことができる。
【００２８】
好ましくは、自動操作データ群は複数種類のデータセットを含み、表示画像データ作成操作処理部は自動操作データ群から、ユーザの操作に基づき作成処理に適用すべきデータセットを選択する。
【００２９】
したがって、表示画像データ作成のために適用すべき自動操作のデータセットを、ユーザの操作によりユーザが任意に選択することができる。
【００３０】
好ましくは、自動操作データ群は入力画像データ中に含まれる。
【００３１】
したがって、自動操作データ群は入力画像データと別個に装置に与えられるのではなくて、入力画像データ内に含まれた状態で与えることができる。
【００３２】
この発明の他の局面に従うと、画面に表示するデータを作成する方法は、入力した画像データを用いて表示するための表示画像データを作成する表示画像データ作成ステップと、表示画像データの作成を操作するために予め準備された自動操作データ群を入力する自動操作データ入力ステップと、自動操作データ入力ステップにより入力した自動操作データ群を用いて、表示画像データ作成ステップにおける作成処理を制御する表示画像データ作成操作処理ステップとを備える。
【００３３】
この発明のさらに他の局面に従うと、上述の表示データ作成方法をコンピュータに実行させるための表示データ作成プログラムが提供される。
【００３４】
この発明のさらに他の局面に従うと、上述の表示データ作成方法をコンピュータに実行させるための表示データ作成プログラムを記録したコンピュータ読取り可能な記録媒体が提供される。
【発明を実施するための最良の形態】
【００３５】
以下、各実施の形態について図面を参照して説明する。
【００３６】
図１は、第１の実施の形態の画像表示データ作成装置の構成を示す図であり、図２はこの発明の各実施の形態に適用されるコンピュータの構成図である。後述の第１および第２の実施の形態に係る画像表示データ作成装置それぞれは当該コンピュータに搭載することができる。また、後述の第３および第４の実施の形態に係る画像自動表示装置それぞれも当該コンピュータに搭載することができる。
【００３７】
図２を参照してコンピュータは、ＣＲＴ（陰極線管）または液晶などからなるモニタ１１０、該コンピュータ自体を集中的に制御するためのＣＰＵ（中央処理装置の略）１２２、ＲＯＭ（Read  Only  Memory）またはＲＡＭ（ランダムアクセスメモリの略）を含んで構成されるメモリ１２４、固定ディスク１２６、ＦＤ（フレキシブルディスク）１３２が着脱自在に装着されて、装着されたＦＤ１３２をアクセスするＦＤ駆動装置１３０、ＣＤ−ＲＯＭ（Compact Disc Read Only Memory）１４２が着脱自在に装着されて、装着されたＣＤ−ＲＯＭ１４２をアクセスするＣＤ−ＲＯＭ駆動装置１４０、キーボード１５０、マウス１６０、ペンタブレット１７０、インターネットなどを含む各種の通信ネットワーク１８２と該コンピュータとを通信接続するための通信インターフェィス１８０を含む。これらの各部はバスを介して通信接続される。
【００３８】
コンピュータには、カセット形式の磁気テープが着脱自在に装着されて磁気テープをアクセスする磁気テープ装置が設けられても良い。
【００３９】
図１を参照して、画像表示データ作成装置０７０３は接続される画像入力装置０７０１より入力画像データと、接続される操作入力装置０７０２からユーザの操作情報とを受取り、表示画像データを作成して接続されるディスプレイ装置０７０４に出力する。画像入力装置０７０１は図２のコンピュータに接続される装置であり、ここでは通信インターフェィス１８０を介して接続される装置である。操作入力装置０７０２は図２のキーボード１５０、マウス１６０、ペンタブレット１７０などに相当する。ディスプレイ装置０７０４は図２のモニタ１１０に相当する。
【００４０】
（第１の実施の形態）
第１の実施の形態では、ユーザが全体画像データと局所画像データの表示度合いを手動で指定することができるとともに、画像の任意の箇所にアンダーラインを表示する機能を有する画像表示データ作成装置が示される。ここでは引かれる線分は直線としているが、実線、破線、ウェーブ状の線など線種は直線に限定されない。また、ここでは線分の色、太さなどを規定していないが、これらの属性は変更されるようにしてよい。また、図１９のように線の代わりに任意の図形やイラスト１９０２など、位置を指し示すことのできるものであれば何でも用いることができる。
【００４１】
画像表示データ作成装置０７０３は、入力画像データバッファ０７０５、全体画像データ作成処理部０７０６、全体画像データバッファ０７０７、制御処理部０７０８、局所画像データ作成処理部０７０９、局所画像データバッファ０７１０、表示画像データ作成処理部０７１１および表示画像データバッファ０７１２を備える。
【００４２】
入力画像データバッファ０７０５は、画像入力装置０７０１から入力された画像データを格納する。全体画像データ作成処理部０７０６は入力画像データバッファ０７０５から入力画像を読取り全体画像データを出力する。全体画像データバッファ０７０７は全体画像データ作成処理部０７０６から出力された全体画像データを格納する。制御処理部０７０８は操作入力装置０７０２から入力された情報に伴い表示画像データの作成を制御する。局所画像データ作成処理部０７０９は入力画像データバッファ０７０５から入力画像データを読取り、局所画像データを作成し出力する。局所画像データバッファ０７１０は局所画像データ作成処理部０７０９から出力された局所画像データを格納する。
【００４３】
表示画像データ作成処理部０７１１は全体画像データバッファ０７０７から全体画像データを、局所画像データバッファ０７１０から局所画像データをそれぞれ読込み、制御処理部０７０８からの制御情報に従って、表示画像データを作成し出力する。表示画像データバッファ０７１２は表示画像データ作成処理部０７１１から出力された表示画像データを格納する。
【００４４】
入力画像データバッファ０７０５、全体画像データバッファ０７０７、局所画像データバッファ０７１０および表示画像データバッファ０７１２は、図２には示されないがフラッシュメモリ、メモリ１２４、固定ディスク１２６などのＲＡＭによって実現される。全体画像データ作成処理部０７０６、制御処理部０７０８、局所画像データ作成処理部０７０９および表示画像データ作成処理部０７１１は、たとえばそれぞれ独立した回路または図２のコンピュータのＣＰＵ１２２の図示されない演算処理回路によって実現される仮想回路、すなわちＣＰＵ１２２により実行されるプログラムにより実現されるとしてもよい。
【００４５】
図３には第１の実施の形態の画像表示データ作成装置０７０３の処理の流れが示される。ここでは、入力画像データに対応の入力画像の横方向、縦方向の大きさをそれぞれXSIZE，YSIZEとする。ディスプレイ装置０７０４の表示サイズの横方向、縦方向の大きさをそれぞれXDISPLAYSIZE，YDISPLAYSIZEとする。
【００４６】
動作が開始され画像入力装置０７０１から入力画像データを受取り、入力画像データバッファ０７０５に格納する（Ｓ０８０１、Ｓ０８０２）。
【００４７】
全体画像データ作成処理部０７０６は、入力画像データバッファ０７０５から入力画像データを受取り、入力画像データを表示サイズと同じ大きさとなるように横方向に(XDISPLAYSIZE/XSIZE)倍、縦方向に(YDISPLAYSIZE/YSIZE)倍に拡大または縮小処理を行なったものを全体画像データとして出力する（Ｓ０８０３）。
【００４８】
拡大または縮小処理は線形補間を用いたが、線形補間に限定されない。全体画像データ０１０１の例を図４に示す。
【００４９】
全体画像データ作成処理部０７０６から出力された全体画像データを全体画像データバッファ０７０７に格納する（Ｓ０８０４）。
【００５０】
制御処理部０７０８について処理のための各種変数（パラメータ）などの初期値設定が行なわれる（Ｓ０８０５）。ここで、各種の変数について説明する。制御処理部０７０８では、全体画像データのみに関する、局所画像データのみに関する、全体画像データおよび局所画像データの両方に関するそれぞれの変数を管理する。
【００５１】
全体画像データのみに関しては、全体画像における直線の有無を示す全体画像直線有無whole_lineを管理する。全体画像直線有無whole_lineの値は直線表示有りのときは１、無しのときは０を示す。
【００５２】
また、局所画像データのみに関しては以下の変数を管理する。局所画像データの画像の左上点の入力画像データの画像における位置(xposition、yposition)、表示倍率arate、局所画像における直線の有無を示す局所画像直線有無part_lineを管理する。局所画像直線有無part_lineの値は直線表示有りのときは１、無しのときは０を示す。位置(xposition、yposition)は入力画像データのどの箇所のデータを局所画像データにするかを決めるための変数である。
【００５３】
全体画像データと局所画像データとに関連した変数として、直線始点（xstart、ystart）、直線終点（xend、yend）、局所画像データと全体画像データの足し合わせの比率を示す合成比率orateを管理する。直線始点（xstart、ystart）、直線終点（xend、yend）はともに入力画像データの画像における位置を示す。
【００５４】
全体画像直線有無whole_lineと局所画像直線有無part_lineは直線有無の基準として１と０を用いたが、これに限定されず、有無の基準として用いることのできる値であればよい。
【００５５】
制御処理部０７０８は、たとえば、(xposition、yposition)=(0、0)（入力画像データの画像の左上部分の画像のデータを、局所画像データに設定する）。またarate=１（局所画像データの表示倍率は等倍）、orate=０．８、part_lineとwhole_lineに０（直線の表示なし）を設定する。設定値は一例であって、これら以外の値であってもよい。
【００５６】
上述の局所画像データに特化した変数は局所画像データの左上点の入力画像データでの位置(xposition，yposition)、表示倍率arateに限定されるものではなく、局所画像の入力画像での位置関係とその大きさが定まるものであればよい。たとえば、表示倍率arateの代わりに局所画像データの入力画像データでの右下点の位置を用いてもかまわない。
【００５７】
通常、制御処理部０７０８は操作入力装置０７０２を介したユーザからの入力情報を受けて動作するが、ここでの初期値設定はユーザからの入力情報の代わりに設定するものである。
【００５８】
制御処理部０７０８は、操作入力装置０７０２からの入力を受けて該入力内容に基づき各種変数の値を変更（設定）する（Ｓ０８０６）。
【００５９】
局所画像データ作成処理部０７０９にて、入力画像データバッファ０７０５から入力画像データを受取り、制御処理部０７０８で指定された情報により、局所画像データを作成し、出力する（Ｓ０８０７）。
【００６０】
局所画像データ作成処理は、入力画像データの(xposition、yposition)から、横方向に(XDISPLAYSIZE/arate)、縦方向に(YDISPLAYSIZE/arate)の大きさを抜き出した画像を作成し、その抜き出した画像をarate倍に拡大または縮小処理したものを局所画像データとするものである。
【００６１】
ここでは、拡大縮小処理は線形補間を用いたが、他のどのような拡大縮小手法を用いてもよい。局所画像データ０３０１の例を図５に示す。
【００６２】
局所画像データ作成処理部０７０９から出力された局所画像データを局所画像データバッファ０７１０に格納する（Ｓ０８０８）。
【００６３】
表示画像データ作成処理部０７１１は、全体画像データバッファ０７０７と局所画像データバッファ０７１０からそれぞれ全体画像データと局所画像データを読取り、これらを用いて制御処理部０７０８で指定された情報により、表示画像データを作成し、出力する（Ｓ０８０９）。
【００６４】
座標(x，y)における全体画像データの画素値value1(x，y)、局所画像データの画素値value2(x，y)および表示画像データの画素値value3(x，y)としたとき、value3(x，y)=orate×value2(x，y)+（1-orate）×value1(x，y)となるように表示画像データを作成し（この段階での表示画像データ０４０１を図６に示す。）、そこに枠のデータを付け加える。該枠は、全体画像データにおける局所画像データの位置に相当するディスプレイ装置０７０４の全表示領域における位置を特定するためのものである。
【００６５】
合成比率orateが０より大きく、１より小さい場合は表示画像データは例えば図７に示した画像のように全体画像データと局所画像データが同時に表示される。図５の枠０５０１が先に述べた全体画像データでの局所画像データの位置を示す枠に相当する。また、全体画像データと局所画像データの関係をさらに分かりやすくするために表示画像データについての枠０５０２のように外枠を追加し、全体画像データでの枠０５０１に対応する局所画像データの枠としてもよい。また、表示画像データの例を図６に示すように対応枠を付け加えなくてもかまわない。
【００６６】
合成比率orateが０のとき、表示画像データは例えば図８に示すように局所画像データの枠０２０１を含む全体画像データ０２０２が表示される。合成比率orateが１のとき、表示画像データとしては例えば図９に示すような局所画像データが表示される。
【００６７】
合成比率orateの範囲に制限を加えると、全体画像データと局所画像データが常に表示されているように設定することも可能である。
【００６８】
図７、図８および図９の枠０５０１、０２０１および０６０１は、左上点（xposition×XDISPLAYSIZE/XSIZE，yposition×YDISPLAYSIZE/YSIZE）、右下点((xposition+XDISPLAYSIZE/arate)×XDISPLAYSZE/XSIZE，(yposition+YDISPLAYSIZE/arate)×YDISPLAYSZE/XSIZE)に位置する長方形である。
【００６９】
また、局所画像データの枠の情報を表示画像データに加えるかどうかを指示する情報（変数）を、制御処理部０７０８の管理する変数群に加えるとユーザが動的に枠の表示の有無を指定することも可能となる。
【００７０】
また、全体画像直線有無whole_lineが１の時、２点(xstart×XDISPLAYSIZE / XSIZE, ystart×YDISPLAYSIZE / YSIZE), (xend×XDISPLAYSIZE / XSIZE, yend×YDISPLAYSIZE / YSIZE)を結ぶ直線のデータを全体画像データに加える。
【００７１】
また、局所画像直線有無part_lineが1の時、２点(((xstart-xposition)×arate,(ystart-yposition)×arate),((xend-xposition)×arate,(yend-yposition)×arate))を結ぶ直線のデータを局所画像データに加える。
【００７２】
変数xstart、ystart、xendおよびyendで指定される直線は、例えば図１０と図１１のような態様で、ユーザに注目すべき画像の部分や見てもらいたいドキュメントの行を示すのに用いることができる。図１０には、局所画像データ０３０１に直線１３０２が引かれた状態が示される。図１１には、図６の画像０４０１において全体画像についての直線１４０３と局所画像についての直線１４０４が引かれた状態が示される。このような直線は、表示する画像におけるユーザの視点のガイドの役目をする。また、直線は表示画像における重要な情報に対応する部分を指定するのに用いてもよい。
【００７３】
表示画像データ作成処理部０７１１で作成された表示画像データを表示画像データバッファ０７１２に格納し（Ｓ０８１０）、表示画像データバッファ０７１２に格納された表示画像データをディスプレイ装置０７０４に出力する（Ｓ０８１１）。
【００７４】
その後、制御処理部０７０８にて操作入力装置０７０２からの入力を検出する（Ｓ０８１２）。操作入力装置０７０２からの入力が終了要求であった場合、終了処理を行ない、他の場合はＳ０８０６以降の処理を再度行なう（Ｓ０８１３、Ｓ０８１４）。
【００７５】
本実施の形態によれば、図６または図７のように全体画像データと局所画像データが重ね合せて表示されるとき、両画像データの表示濃度は合成比率orateの値により異ならせることができるから、両画像データにより表示される文字などの画像をユーザは区別して視認することが可能となる。また、図７に示すように局所画像データと全体画像データの位置関係を示す枠０５０２と０５０１を表示することにより、全体画像データの文字が小さくても局所画像データの位置と全体のレイアウトを把握しながら閲覧できる。
【００７６】
（第２の実施の形態）
第２の実施の形態では、全体画像データと局所画像データの表示濃度である合成比率orateを自動で制御する機能が提供される。
【００７７】
図１２には第２の実施の形態に係る画像表示データ作成装置０７１３の構成が示される。画像表示データ作成装置０７１３と図１の画像表示データ作成装置０７０３とを比較して異なる点は、画像表示データ作成装置０７１３が表示画像データ作成処理部０７１１に代替して表示画像データ作成処理部０７１４を備える点にある。画像表示データ作成装置０７１３の他の各部は図１に示したものと同様であるから説明は略す。
【００７８】
画像表示データ作成装置０７１３には第１の実施の形態で示した処理のための各種変数のうち合成比率orateを除く種類の変数のみが予め設定（たとえば初期値設定またはユーザ操作により設定）されるが、合成比率orateは表示画像データ作成処理部０７１４において表示すべき画像データに基づいて算出される。
【００７９】
図１３には第２の実施の形態の画像表示データ作成装置０７１３の処理の流れが示される。図１３の処理の流れと第１の実施の形態の図３のそれとを比較して異なる点は、処理Ｓ０８０８と処理Ｓ０８０９の間に、全体画像データと局所画像データの重ね合わせ表示における濃度を制御する濃度制御処理Ｓ０９０９を追加した点にある。他の処理は、図３に示したのと同様なので、ここでは説明を省略する。
【００８０】
動作において、処理Ｓ０８０１〜Ｓ０８０８が前述と同様に実行された後、濃度制御処理において、表示画像データ作成処理部０７１４は、局所画像データバッファ０７１０から局所画像データを読取り、読取った局所画像データと全体画像データの合成比率orateを決定する（Ｓ０９０９）。
【００８１】
具体的には、局所画像データと全体画像データの合成比率orateは、局所画像データの重要性、すなわち局所画像データが示す情報・内容の重要性の程度に基づき決定される。たとえば、局所画像データの重要性が高いほど合成比率orateは高くなり、逆に重要性が低いほど合成比率orateは低くなる。または、合成比率orateは局所画像データおよび全体画像データのうちの一方データに対する他方データの重要性の程度に基づき決定されてもよい。局所画像データの方が重要性が高ければ合成比率orateを高い値に設定し、局所画像データを重視した合成処理を行ない、逆の場合は合成比率orateを低い値に設定し、全体画像データを重視した合成処理を行なう。
【００８２】
その結果、局所画像データが重要な場合は、全体画像データによる画像は薄くなり局所画像データによる画像は濃くなりはっきり見やすく表示される。逆に、局所画像データが重要でない場合、局所画像データによる画像は薄くなり、全体画像データによる画像は濃くなりはっきり見やすく表示される。
【００８３】
合成比率orateの演算は、局所画像データの画素値の和SUMを用いて、orate=１−SUM／(255×XDISPLAYSIZE×YDISPLAYSIZE)と、算出される。画素値は画像の輝度成分を示す値である。
【００８４】
この演算は一例でありこれに限定されず、局所画像データの閾値TH以下の画素値の画素をカウントした結果をカウント数Ｎとして、orate=N/(XDISPLAYSIZE×YDISPLAYSIZE)と、演算してもかまわない。
【００８５】
また、上述の合成比率orateの演算は、入力画像データの背景が白であることを前提としているが、変数SUMとして背景色との差分の和を用いれば、任意の背景色で該演算を用いることができる。また合成比率orateは背景色との２乗平均誤差（距離）の大きさを基に決定してもよい。
【００８６】
また、同様に閾値TH以下の画素値を有する画素をカウントしたカウント数Nを用いる場合でも、背景色との差分でTHを設定した上でのカウント数Nを用いれば、任意の背景色で該演算を用いることができる。
【００８７】
また、局所画像データで示されるエッジの多さを基準として、エッジが多ければ合成比率orateを大きくし、エッジが少なければ合成比率orateを小さくしてもよい。これにより、エッジが多い画像は変化に富んで複雑な画像といえるから、濃く表示されることになって、複雑な画像でもはっきりと確認できる。エッジの検出はたとえば、ソーベルフィルタを用いて行ってよい。
【００８８】
また、局所画像データの文字の多さを基準として、文字が多ければ合成比率orateを大きくし、文字が少なければ合成比率orateを小さくしてもよい。これにより、文字が多い画像は狭い間隔で多量の文字が表示されて比較的に細かい文字となっているが、濃く表示されるから、細かい文字であってもはっきりと確認できて判読できる。文字検出は、たとえば特開２００２−２９８１３９号の公報に開示されている手法を用いればよい。この手法では画像データを入力して入力画像データの特徴量に基づいて画像における文字の領域を判別している。
【００８９】
その後は、図３の処理Ｓ０８０９〜Ｓ０８１４が同様に実行される。
【００９０】
本実施の形態によれば、画像表示データ作成装置０７１３は、動的に全体画像データと局所画像データの合成比率orateを調節する機能を有しているから、局所画像データが重要な場合には、レイアウトを示す全体画像データによる画像は薄くなり、逆に局所画像データが重要でない場合には、レイアウトを示す全体画像データによる画像を濃くすることにより、全体画像データと局所画像データの重合わせにおいては重要な情報を示す画像を優先して濃く表示することができて、重要な情報が読みにくくなるのを回避できる。
【００９１】
また、上述の実施の形態の画像表示データ作成装置は、通信を用いてサーバとクライアントで処理することも可能である。例えば、入力画像データバッファ０７０５（１００５）、全体画像データ作成処理部０７０６、制御処理部０７０８（１００８）、および局所画像データ作成処理部０７０９（１００６）をサーバ側に、全体画像データバッファ０７０７、局所画像データバッファ０７１０（１００７）、表示画像データ作成処理部０７１１（１００９）、および表示画像データバッファ０７１２（１０１０）をクライアント側で実現することにより、データ量の小さい全体画像データと局所画像データの通信で閲覧を行なうことができるため、入力画像データをそのままダウンロードする方式と比べ、快適に閲覧することができる。
【００９２】
（第３の実施の形態）
第３の実施の形態では、後述の自動操作データを用いてユーザの操作を一部自動化した場合の画像自動表示装置が示される。第３の実施の形態の画像自動表示装置は、第１の実施の形態の表示画像データ作成装置０７０３を内部に持ち、これを表示画像データ作成処理エンジンとして用いる。
【００９３】
なお、表示画像データ作成装置０７０３は、ここでは、第１の実施の形態の表示画像データ作成装置を用いるが、ディスプレイ装置に表示する画像データを生成する機能を有していれば、どのような装置でもよく、その装置の外部から操作できる変数に合わせて、後述する自動操作データのセットを定めれば容易に適用可能である。
【００９４】
自動操作データは、表示画像データ作成処理エンジンである表示画像データ作成装置０７０３の制御処理部０７０８への各種変数の値の入力手順を予め記述したものである。第３の実施の形態の画像自動表示装置は、自動操作データに従う一連の手順で動作することにより各手順により予め決められた画像データを連続的に表示することができる。ユーザは、入力手順を順方向に進めるための前進操作、または手順を戻すための後退操作を行うことにより、手順を選択して選択した手順に従う画像を表示させることができる。
【００９５】
図１４は、第３の実施の形態の画像自動表示装置１００４の構成を示す図である。図１５は、第３の実施の形態の画像自動表示装置の処理の流れを示すフローチャートである。図１６は第３の実施の形態に係る自動操作データ２００の一例を示す図である。
【００９６】
図１４の画像自動表示装置１００４は、画像入力装置０７０１、ビューワ操作入力装置１００２、自動操作データ入力装置１００３およびディスプレイ装置１００５を接続する。画像自動表示装置１００４は、画像入力装置０７０１より入力画像データ、自動操作データ入力装置１００３より自動操作データ２００、ビューワ操作入力装置１００２よりユーザの操作情報を受取り、受取ったこれら情報に基づく処理の結果をディスプレイ装置０７０４に出力（表示）する。
【００９７】
画像自動表示装置１００４は、自動操作データバッファ１００６、表示画像データ作成処理部１００７および表示画像データ作成装置０７０３を備える。自動操作データバッファ１００６は自動操作データ入力装置１００３から入力された自動操作データ２００を格納する。
【００９８】
表示画像データ作成操作処理部１００７は、自動操作データバッファ１００６から読出した自動操作データ２００およびビューワ操作入力装置１００２から与えられるユーザの操作情報を受取り、表示画像データ作成装置０７０３を制御するための各種変数（パラメータ）の値を作成して表示画像データ作成装置０７０３に対して出力する。
【００９９】
表示画像データ作成装置０７０３は、図１に示されたのと同様の構成を備えるので詳細な説明は略す。動作において表示画像データ作成装置０７０３は、画像入力装置０７０１から入力した画像データを入力画像データバッファ０７０５を介して受取り、また表示画像データ作成操作処理部１００７から出力された各種変数の値を制御処理部０７０８が受取る。受取ったこれら情報に基づいて、全体画像データ作成処理部０７０６および局所画像データ作成処理部０７０９により全体画像データおよび局所画像データがそれぞれ作成される。その後、表示画像データ作成処理部０７１１は全体画像データと局所画像データと受取った各種変数の値とに基づき表示のための画像データを作成する。作成された画像データは表示画像データバッファ０７１２を介してディスプレイ装置０７０４に与えられて、ここに表示される。
【０１００】
自動操作データバッファ１００６は、メモリ１２４としてのフラッシュメモリ、固定ディスク１２６などのＲＡＭによって実現される。表示画像データ作成操作処理部１００７は、たとえば独立した回路によって実現されるとしてもよく、図２のコンピュータのＣＰＵ１２２の演算処理回路によって実現される仮想回路（プログラム処理）により実現されるとしてもよい。
【０１０１】
自動操作データ２００は、第１の実施の形態の表示画像データ作成装置０７０３の制御処理部０７０８に入力されるものと同様である。図１６を参照して自動操作データ２００は、一種のファイルとして準備されて、該ファイルには複数のセットＳＥｉ（ｉ＝０、１、２、・・・、ｎ）が登録されている。各セットＳＥｉは局所画像データの左上点の入力画像データでの位置xposition, yposition、局所画像データの表示倍率arate、局所画像データと全体画像データの合成比率orate、および直線描画箇所xstart、ystart、xend、yendの変数を含む。セットＳＥｉの各変数の定義は、第１の実施の形態で説明したものと同じである。
【０１０２】
１つのセットＳＥｉに含まれる各変数の値により、表示画像の状態が一意に決定される。ここでは、自動操作データ２００のファイルの一番先頭から順にセットＳＥ０、ＳＥ１、ＳＥ２…と登録されていると想定する。また、現在、表示している画像データの作成に用いたセットＳＥｉをここでは、現在セットＳＥｉと呼ぶ。
【０１０３】
自動操作データ２００では、図１６のようにセットＳＥｉでの各変数値をスペースで区切り、セットＳＥｉ間は改行で区切っている。
【０１０４】
自動操作データ２００のデータ構造は図１６に示されたものに限定されず、各セットＳＥｉの各変数値を読出すことができる構造であればよい。
【０１０５】
図１５のフローチャートに従い図１６の自動操作データ２００を用いた画像自動表示装置１００４の動作について説明する。図１５の処理を実行するために、自動操作データ２００に登録されているセットＳＥｉの総数を示す変数ＮＬ、自動操作データ２００からセットＳＥｉを読出すための間隔を示す変数ＮＳ、および自動操作データ２００における現在セットが何番目のセットかを示す変数Ｎが準備される。ここでは変数ＮＳには予め１が設定されていると想定する。
【０１０６】
変数ＮＳが１であるときは、自動操作データ２００からセットＳＥｉを順番に１つずつ読出すことができる。変数ＮＳは、ユーザのビューワ操作入力装置１００２を介した前進または後退の操作による指示を受ける毎に、自動操作データ２００において現在セットＳＥｉからいくつ先の、またはいくつ後のセットＳＥｉを読出すかを決定するように作用する。たとえば、現在セットがセットＳＥ５であり変数ＮＳ＝１であれば、前進操作する毎にＳＥ６、ＳＥ７、ＳＥ８…と、後退操作する毎にＳＥ４、ＳＥ３、ＳＥ２・・・とそれぞれ順番に読出すセットＳＥｉを決定することができる。たとえば変数ＮＳ＝２であれば、前進操作する毎にＳＥ７、ＳＥ９、ＳＥ１１…と、後退操作する毎にＳＥ３、ＳＥ１・・・と、1つずつセットＳＥｉを飛ばしながら読出すセットＳＥｉを決定することができる。
【０１０７】
画像自動表示装置１００４において処理を開始すると（Ｓ１１０１）、画像自動表示装置１００４は自動操作データ入力装置１００３から自動操作データ２００を受取り自動操作データバッファ１００６に格納する（Ｓ１１０２）。そして、変数Ｎに初期値Ｎ０を設定する（Ｓ１１０３）。
【０１０８】
表示画像データ作成操作処理部１００７は自動操作データバッファ１００６の自動操作データ２００から、変数Ｎ＝ｉで指示されるセットＳＥｉの各変数xposition_i、yposition_i、arate_i、orate_i、part_line_i、whole_line_i、xstart_i、ystart_i、xend_iおよびyend_iの値を読出して、それぞれ処理のための変数xposition、yposition、arate、orate、part_line、whole_line、xstart、ystart、xendおよびyendに設定する（Ｓ１１０４）。
【０１０９】
表示画像データ作成装置０７０３は画像入力装置０７０１から与えられる画像データを入力し、これを表示画像データ作成操作処理部１００７により値が設定された各種変数とに基づき、表示用の画像データを作成する。作成された画像データはディスプレイ装置０７０４に出力されて、ここに表示される（Ｓ１１０５）。
【０１１０】
次にユーザによるビューワ操作入力装置１００２を用いた操作入力を検出する（Ｓ１１０６）。操作入力が検出されるまでは待機する。ユーザの操作による入力は終了要求、前進要求および後退要求の３種類のうちのいずれかであると想定する。終了要求が検出された場合には（Ｓ１１０７でＹＥＳ）、一連の処理は終了する（Ｓ１１０８）。
【０１１１】
前進要求が検出された場合（Ｓ１１０９でＹＥＳ）、変数Ｎの値を変数ＮＳで示される値だけ増加させる（Ｓ１１１０）。そして、変数Ｎの値が（変数ＮＬの値−１）より大きいときは（Ｓ１１１１でＹＥＳ）、変数Ｎに変数ＮＬの値から変数ＮＳの値を引いた結果を設定し（Ｓ１１１２）、Ｓ１１０４の処理に移行する。また、変数Ｎの値が（変数ＮＬの値−１）以下であるときは（Ｓ１１１１でＮＯ）、Ｓ１１０４の処理に移行する。
【０１１２】
また、ビューア操作入力装置１００２を介した入力が前進要求でなかった場合（Ｓ１１０９でＮＯ）、変数Ｎの値を変数ＮＳの値だけ減少させる（Ｓ１１１３）。その結果、変数Ｎの値が０以上でなければ（Ｓ１１１４でＮＯ）変数Ｎの値を０に設定して（Ｓ１１１５）Ｓ１１０４の処理に移行し、０以上であれば（Ｓ１１１４でＹＥＳ）そのままＳ１１０４の処理に移行する。
【０１１３】
ここでは変数ＮＳの値を１としたが、１以上の整数であればよい。変数ＮＳは定数である必要はなく、パラメータとして条件により変動させてもよい。例えば、単位時間あたりの前進要求または後退要求の入力回数が多くなる場合には、変数ＮＳの値を大きくして読み飛ばすセットＳＥｉの数を増やすようにしてよい。このような入力操作がなされる場合はユーザが画像作成のために適用を所望するセットＳＥｉは現在セットよりも先（または後）の方に登録されていると想定できるから、読み飛ばすセットＳＥｉを多くすることにより、自動操作データ２００において所望のセットＳＥｉを速やかに特定することができる。
【０１１４】
また、前進要求および後退要求をそれぞれ複数種に細分化し、操作により入力された要求の種類に応じて変数ＮＳの値を変更するようにしてもよい。
【０１１５】
また、画像を閲覧するユーザが所望のセットＳＥｉを選択しやすいように、自動操作データ２００のセットＳＥｉの値の一覧をディスプレイ装置０７０４に表示し、ユーザは一覧表示を確認しながら操作をするようにしてもよい。
【０１１６】
（第４の実施の形態）
本実施の形態の画像自動表示装置１０１４の構成が図１７に示される。図１４の自動画像表示装置１００４と画像自動表示装置１０１４とを比較して異なる点は、図１６の自動操作データ２００に代替して、図１８の自動操作データ３００を入力する点と、表示画像データ作成装置０７０３に代替して表示画像データ作成装置０７１４を備える点にある。画像自動表示装置１０１４の他の各部は図１４に示したものと同様であるから説明は略す。
【０１１７】
本実施の形態では、第２の実施の形態の表示画像データ作成装置０７１４を採用するから、全体画像データと局所画像データの合成比率orateを、表示すべき画像データに基づき最適値に自動設定することができる。したがって、画像自動表示装置１０１４に与えられる自動操作データ３００は図１８に示すように合成比率orateを含まなくて良い複数のセットＳＳＥｉで構成されている。自動操作データ３００は合成比率orateを含まない点を除いては、自動操作データ２００の構造と同様であるから説明は略す。本実施の形態に係る処理手順は、図１５に示したものと同じである。
【０１１８】
このように、画面を表示するためのコアモジュールである表示画像データ作成装置０７０３（０７１４）で操作できる変数の種類を、自動操作データ２００（３００）で保持する変数の種類により簡単に変更することができる。したがって、表示画像データ作成装置０７０３（０７１４）において取扱う変数の種類に関する制限はなくなる。
【０１１９】
また、自動操作データ２００（３００）は、そこからは指定したセットＳＥｉの変数の値を読出すことができればよいから、自動操作データ２００（３００）は独立したデータとして準備する必要はなく、たとえば画像データの中に予め含めて、該画像データを装置に与えられることにより、自動操作データを装置に供給するようにしてもよい。
【０１２０】
また、第３および第４の実施の形態から分かるように、画像自動表示装置は、内部に如何なる形式の画像自動表示データ作成処理エンジンを用いても、そのエンジンの制御パラメータと、自動操作データ２００または３００で与える変数とを用いて、該エンジンを利用することができる。
【０１２１】
例えば、画像の一部領域を単に縮尺を換えて表示する画像自動表示装置など、単純な機能の画像自動表示装置であれば、制御パラメータの数をその画像自動表示装置に合わせて減らせばよい。逆に、複雑な機能を有する画像自動表示装置も、制御パラメータの数をその画像自動表示装置に合わせて増やせばよい。
【０１２２】
上述の各実施の形態は、ワードプロセッサ、テキストエディタ、ドローツールなどのためのドキュメント（文書データ）の表示に際して、該ドキュメントを画像として扱うことにより適用することができる。
【０１２３】
また、フォントなどのオブジェクトデータを含むドキュメントの拡大または縮小処理は画像処理で行なう必要はなく、ほぼ同等の解像度のフォントなどのオブジェクトデータがあればそれを代替として用いてもかまわない。
【０１２４】
また、各実施の形態の画像表示データ作成装置は、パーソナルコンピュータ、携帯電話、ＰＤＡ、電子ブック機器などの各種端末、情報の表示機能を有してコンピュータ制御される各種家電製品に組み込んで用いることができる。
【０１２５】
（第５の実施の形態）
以上説明した各実施の形態の処理機能は、プログラムで実現される。本実施の形態では、このプログラムはコンピュータで読取可能な記録媒体に格納されることが示される。
【０１２６】
本実施の形態では、この記録媒体として、図２に示されているコンピュータで処理が行なわれるために必要なメモリ、たとえばメモリ１２４のようなそのものがプログラムメディアであってもよいし、また外部記憶装置として磁気テープ装置およびＣＤ−ＲＯＭ駆動装置１４０などのプログラム読取装置が設けられ、そこに記録媒体である磁気テープまたはＣＤ−ＲＯＭ１４２が挿入されることで読取可能なプログラムメディアであってもよい。いずれの場合においても、格納されているプログラムはＣＰＵ１２２がアクセスして実行させる構成であってもよいし、あるいはいずれの場合もプログラムが一旦読出されて、読出されたプログラムは、図２の所定のプログラム記憶エリア、たとえばメモリ１２４のプログラム記憶エリアにロードされて、ＣＰＵ１２２により読出されて実行される方式であってもよい。このロード用のプログラムは、予め当該コンピュータに格納されているものとする。
【０１２７】
ここで、上述したプログラムメディアはコンピュータ本体と分離可能に構成される記録媒体であり、磁気テープやカセットテープなどのテープ系、ＦＤ１３２や固定ディスク１２６などの磁気ディスクやＣＤ−ＲＯＭ１４２／ＭＯ（Magnetic  Optical Disc）／ＭＤ（Mini  Disc）／ＤＶＤ（Digital Versatile  Disc）などの光ディスクのディスク系、ＩＣカード（メモリカードを含む）／光カードなどのカード系、あるいはマスクＲＯＭ、ＥＰＲＯＭ（Erasable  and Programmable ＲＯＭ）、ＥＥＰＲＯＭ(Electrically ＥＰＲＯＭ)、フラッシュＲＯＭなどによる半導体メモリを含めた固定的なプログラムを担持する媒体であってもよい。
【０１２８】
また、本実施の形態においては、図２のコンピュータはインターネットを含む通信ネットワーク１８２と接続可能な構成が採用されているから、通信ネットワーク１８２からプログラムがダウンロードされて流動的にプログラムを担持する媒体であってもよい。なお、このように通信ネットワーク１８２からプログラムがダウンロードされる場合には、ダウンロード用プログラムは予め当該コンピュータ本体に格納しておくか、あるいは別の記録媒体から予め当該コンピュータ本体にインストールされるものであってもよい。
【０１２９】
なお記録媒体に格納されている内容としてはプログラムに限定されず、データであってもよい。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３１】
【図１】第１の実施の形態の画像表示データ作成装置の構成を示す図である。
【図２】各実施の形態に係る画像表示データ作成装置が搭載されるコンピュータの構成図である。
【図３】第１の実施の形態の画像表示データ作成装置の処理フローチャートである。
【図４】全体画像データの一例を示す図である。
【図５】局所画像データの一例を示す図である。
【図６】全体画像データと局所画像データを同時に表示した状態を示す図である。
【図７】全体画像データと局所画像データを同時に表示し、枠を追加した状態を示す図である。
【図８】全体画像データに枠を追加した状態を示す図である。
【図９】局所画像データに枠を追加した状態を示す図である。
【図１０】表示された画像に直線が引かれた状態を示す図である。
【図１１】表示された画像に直線が引かれた状態を示す図である。
【図１２】第２の実施の形態に係る画像表示データ作成装置の構成図である。
【図１３】第２の実施の形態の画像表示データ作成装置の処理フローチャートである。
【図１４】第３の実施の形態の画像自動表示装置の構成を示す図である。
【図１５】第３の実施の形態の画像自動表示装置の処理フローチャートである。
【図１６】第３の実施の形態に係る自動操作データを示す図である。
【図１７】第４の実施の形態の画像自動表示装置の構成を示す図である。
【図１８】第４の実施の形態に係る自動操作データを示す図である。
【図１９】第１の実施の形態に係る画像の一例を示す図である。
【符号の説明】
【０１３２】
２００，３００  自動操作データ、０７０３，１００３  画像表示データ作成装置、０７０６  全体画像データ作成処理部、０７０９，１００６  局所画像データ作成処理部、０７１１，１００９  表示画像データ作成処理部、０５０１，０５０２，０２０１，０６０１，０６０２  枠、１００４，１０１４  画像自動表示装置、１３０２，１４０２，１４０３  直線。
【図１】
0003723816.tif 000002
【図２】
0003723816.tif 000003
【図３】
0003723816.tif 000004
【図４】
0003723816.tif 000005
【図５】
0003723816.tif 000006
【図６】
0003723816.tif 000007
【図７】
0003723816.tif 000008
【図８】
0003723816.tif 000009
【図９】
0003723816.tif 000010
【図１０】
0003723816.tif 000011
【図１１】
0003723816.tif 000012
【図１２】
0003723816.tif 000013
【図１３】
0003723816.tif 000014
【図１４】
0003723816.tif 000015
【図１５】
0003723816.tif 000016
【図１６】
0003723816.tif 000017
【図１７】
0003723816.tif 000018
【図１８】
0003723816.tif 000019
【図１９】
0003723816.tif 000020